(57)【要約】【課題】  引き違いサッシ等の引戸障子を初動時に強い力で開放する。【解決手段】  力を蓄える蓄勢機構１１と、引戸の閉鎖移動に伴い、引戸以外の部材に当接した反力を、蓄勢機構に伝達する伝達機構１４と、蓄勢機構が蓄えた力を維持および解放する解放機構１２と、蓄勢機構の力を解放した時、蓄勢機構に蓄えられた力により、引戸以外の部材に当接して引戸の開放の初動をアシストするアシスト部材１３と、を備え、伝達機構と蓄勢機構等とは係脱自在であり、伝達機構は、蓄勢機構に力を蓄えるときには蓄勢機構等に係合し、蓄勢機構に蓄えられた力を解放する時には係合が外れる引戸開放アシスト装置およびその引戸開放アシスト装置を備える引戸。【選択図】  図２
2014029096.tif 000002
【特許請求の範囲】
【請求項１】
引戸に取り付けられ、引戸の開放移動の初動をアシストするものであって、
力を蓄える蓄勢機構と、
引戸の閉鎖移動に伴い、引戸以外の部材に当接した反力を、蓄勢機構に伝達する伝達機構と、
蓄勢機構が蓄えた力を維持および解放する解放機構と、
解放機構が蓄勢機構に蓄えられた力を解放した時、蓄勢機構に蓄えられた力により、引戸以外の部材に当接して引戸の開放の初動をアシストするアシスト部材と、
を備え、
伝達機構と、蓄勢機構またはアシスト部材とは、係脱自在であり、伝達機構は、蓄勢機構に力を蓄えるときには蓄勢機構またはアシスト部材に係合し、蓄勢機構に蓄えられた力を解放する時には係合が外れていることを特徴とする引戸開放アシスト装置。
【請求項２】
請求項１に記載の引戸開放アシスト装置を備えた引戸。
【発明の詳細な説明】
【技術分野】
【０００１】
本発明は、引戸開放アシスト装置および引戸開放アシスト装置を備える引戸に関する。
【背景技術】
【０００２】
近年のビルサッシにおける引き違いサッシ等の引戸障子は、複層ガラス化や大開口化に伴い障子重量が重くなっていると共に、引戸が閉められている状態の気密性を高めるために、戸先の縦框と窓枠との間に気密部材を介在させてある。そのため、閉められている引戸を開放し始める際、すなわち、初動時に大きい力を必要とする傾向にある。これは、特に、子供や高齢者には大きな負担となっている。
【０００３】
かかる問題に対処するため、例えば、特許文献１では、重い引戸の開き始めの初動操作をアシストするため、引き戸の戸先に固定された台座にレバーハンドルの中間部を回動自在に取り付け、レバーハンドルの一端をグリップ、他端を引き戸枠に押圧可能な蹴り出し部とし、梃子の原理を利用し、上記グリップを操作してレバーハンドルを回動させることにより、蹴り出し部で引き戸枠を押圧したときの反力で引き戸を開く開き装置が開示されている。
【０００４】
また、特許文献２では、回動可能なレバーと、進退可能な突き出し部材と、突き出し部材を前進位置に向けて付勢する圧縮ばねと、突き出し部材を後退位置で保持する保持手段とを備え、レバーの先端部がドア枠に当たると、レバーが回動することにより突き出し部材は後退位置に移動し、保持手段が保持を解除すると、圧縮ばねに蓄えられた復元力により突き出し部材は前進してドアの解放を補助するドア解放補助装置が開示されている。
【先行技術文献】
【特許文献】
【０００５】
【特許文献１】特開２００３−０１３６３４号公報
【特許文献２】特開２００６−１１８１１６号公報
【発明の概要】
【発明が解決しようとする課題】
【０００６】
しかし、特許文献１に開示された発明では、梃子の原理を利用したとしても、引戸を開放する初動時に人の力を必要とすることに変わりはなく、子供や高齢者にはなお負担となっていた。
また、特許文献２に開示された発明では、突き出し部材が復元力により前進してドアを解放する際、レバーと連動して動くために、突き出し部材がドア枠を突き出す力が弱くなる。
【０００７】
そこで、本発明は、上記問題に鑑みてなされたものであり、本発明の目的とするところは、引き違いサッシ等の引戸障子を初動時に強い力で開放することができる引戸開放アシスト装置および引戸開放アシスト装置備える引戸を提供することである。
【課題を解決するための手段】
【０００８】
上記課題を解決するために、引戸に取り付けられ、引戸の開放移動の初動をアシストするものであって、力を蓄える蓄勢機構と、引戸の閉鎖移動に伴い、引戸以外の部材に当接した反力を、蓄勢機構に伝達する伝達機構と、蓄勢機構が蓄えた力を維持および解放する解放機構と、解放機構が蓄勢機構に蓄えられた力を解放した時、蓄勢機構に蓄えられた力により、引戸以外の部材に当接して引戸の開放の初動をアシストするアシスト部材と、を備え、伝達機構と、蓄勢機構またはアシスト部材とは、係脱自在であり、伝達機構は、蓄勢機構に力を蓄えるときには蓄勢機構またはアシスト部材に係合し、蓄勢機構に蓄えられた力を解放する時には係合が外れていることを特徴とする引戸開放アシスト装置が提供される。
これによれば、引き違いサッシ等の引戸障子を初動時に強い力で開放することができる引戸開放アシスト装置を提供することができる。
【０００９】
上記課題を解決するために、上記の引戸開放アシスト装置を備えた引戸が提供される。
これによれば、引き違いサッシ等の引戸障子を初動時に強い力で開放することができる引戸を提供することができる。
【発明の効果】
【００１０】
以上説明したように、本発明によれば、引き違いサッシ等の引戸障子を初動時に強い力で開放することができる引戸開放アシスト装置および引戸開放アシスト装置を備える引戸を提供することができる。
【図面の簡単な説明】
【００１１】
【図１】本発明に係る実施例の引戸の正面図。
【図２】本発明に係る実施例の引戸開放アシスト装置の正面図その１。
【図３】本発明に係る実施例の引戸開放アシスト装置の正面図その２。
【図４】本発明に係る実施例の引戸開放アシスト装置の正面図その３。
【図５】本発明に係る実施例の引戸開放アシスト装置の正面図その４。
【図６】本発明に係る実施例の引戸開放アシスト装置の正面図その５。
【図７】本発明に係る実施例の引戸開放アシスト装置の正面図その６。
【図８】本発明に係る実施例の回動部材付近の拡大斜視図。
【図９】本発明に係る実施例の変形例の回動部材付近の拡大斜視図。
【発明を実施するための形態】
【００１２】
以下では、図面を参照しながら、本発明に係る実施例について説明する。
図１は、引戸開放アシスト装置１０を備えた引き違いサッシの引戸１を示す。本実施例では、引戸１は引き違いサッシであるが、これに限定されず、例えば、片開きの引戸であってもよい。
【００１３】
引戸１は、引戸１以外の部材である窓枠２にその一部を当接するようにして、右側の引き違い戸を開放するために正面視右上あたりに引戸開放アシスト装置１０を備える。引戸開放アシスト装置１０が引戸１に備えつけられる位置は、正面視右上あたりに限定されず、例えば、正面視右下あたりであってもよい。もちろん、左側の引き違い戸を開放する場合には、左側の窓枠近傍に備えられる。
【００１４】
図２〜図７は、引戸１に備えられる引戸開放アシスト装置１０を示す。なお、これらの図は、内部の動作を示すために、引戸開放アシスト装置１０のケース１５の蓋を外した状態を示す。
【００１５】
図２は、引戸１が閉められている状態であり、引戸開放アシスト装置１０のアシスト部材１３の右の端部が、窓枠２に当接している状態を示す。この状態においては、伝達機構１４の一端１４１は、ケース１５の中に納まっており、また、蓄勢機構１１は力を蓄えている。この状態を維持しているのは、解放機構１２である。
【００１６】
解放機構１２は、支点１２４を中心に回動自在であり、爪部１２１ａを有する解放レバー１２１と、支点１２４を中心に回動自在であり、爪部１２１ａに係合する溝部１２２ａを有する係合レバー１２２と、人が解放機構１２を操作するためのひも１２３と、を備える。さらに、係合レバー１２２は長孔１２６を備え、長孔１２６を貫通するピン１２５を経由してアシスト部材１３と連結される。本図が示す状態は、爪部１２１ａが溝部１２２ａに係合している状態である。
【００１７】
アシスト部材１３は、正面視左右方向に移動自在に備えられ、右端部が窓枠２と当接するようにケース１５内に納められている。アシスト部材１３の左端部は、蓄勢機構１１と連結されている。これにより、蓄勢機構１１の力が、アシスト部材１３に伝えられる。アシスト部材１３の形状は、板状であってもよいし、円筒状であってもよく、蓄勢機構１１からの力が窓枠２に伝えられる形状、強度を有すればよい。
【００１８】
蓄勢機構１１は、コイルバネからなる。本図では、爪部１２１ａが溝部１２２ａに係合しているので、コイルバネが圧縮された状態であるが、アシスト部材１３が右側に押出されることが抑制され、力が蓄勢機構１１に蓄えられた状態である。蓄勢機構１１は、左端部をケースに当接し、右端部をアシスト部材１３に連結されている。本実施例では、蓄勢機構１１はコイルバネであるが、これに限定されず、板ばねであってもよい。
【００１９】
伝達機構１４は、引戸以外の部材である窓枠２に当接する当接レバー１４４と、蓄勢機構１１に蓄える力を伝達する伝達レバー１４５とを備える。伝達機構１４は、当接レバー１４４と伝達レバー１４５の一方（本図では当接レバー１４４）に長孔１４６を、他方（本図では伝達レバー１４５）にピン１４７を有し、ピン１４７を長孔１４６に嵌め入れて、両者を連結する。当接レバー１４４は、当接レバー１４４が引戸以外の部材である窓枠２に当接する部分である一端１４１と、伝達レバー１４５との連結部との間に支点１４８を備える。伝達レバー１４５は、当接レバーとの連結部と、蓄勢機構１１またはアシスト部材１３に係合する部分との間に支点１４８を備える。これにより、当接レバーと伝達レバーが円滑に可動すると共に、支点の位置により引戸を閉める際の力を調節することができる。
【００２０】
伝達機構１４は、さらに、伝達機構１４の他端１４２において、軸を中心に回動する回動部材１４３を備える。回動部材１４３は、本図においては、アシスト部材１３や蓄勢機構１１のいずれにも係合しておらず、小バネの付勢による自由状態である。
【００２１】
図３は、解放機構１２が蓄勢機構１１に力を蓄えている状態を維持している図２の状態から、人がひも１２３を下に引いて、解放レバー１２１が正面視で時計回り廻った時の状態を示す。そうすると、解放レバー１２１の爪部１２１ａが少し右下に廻り、溝部１２２ａとの係合が外れる。
【００２２】
図４は、図３の状態から、解放レバー１２１の爪部１２１ａと溝部１２２ａとの係合が外れた次の状態を示す。爪部１２１ａと溝部１２２ａとの係合が外れると、アシスト部材１３を通して圧縮されていた蓄勢機構１１は、蓄えていた力を一気に解放する。即ち、解放機構１２は、蓄勢機構１１が蓄えた力を解放する。なお、伝達機構１４の他端１４２は、蓄勢機構１１に蓄えられた力を解放する時には、アシスト部材１３や蓄勢機構１１との係合が外れているので、蓄勢機構１１が力を解放する際の蓄勢機構１１やアシスト部材１３の動作と、伝達機構１４の動作とは独立したものとなる。
【００２３】
蓄勢機構１１は、力を解放する場合、ケースに固定された左端は動かないので、右端が正面視右方向に移動することにより、力を解放する。そうすると、蓄勢機構１１の右端に連結されているアシスト部材１３を右方向へ押出すこととなる。
【００２４】
アシスト部材１３は、図２の状態では窓枠２に当接していたので、窓枠２を右方向へ押出すこととなる。窓枠２は固定されており、引戸開放アシスト装置１０が取り付けられた引戸１は横方向に移動可能なので、アシスト部材１３が窓枠２を右方向へ押出した結果、引戸１は正面視左方向へ移動し開放されることになる。即ち、アシスト部材１３は、解放機構１２が蓄勢機構１１に蓄えられた力を解放した時、蓄勢機構１１に蓄えられた力により、引戸１以外の部材（窓枠２）に当接して引戸１の開放の初動をアシストする。なお、解放レバー１２１は、バネの付勢などで、図２と同じ位置に戻る。
【００２５】
図５は、アシスト部材１３により引戸１が開放移動の初動がアシストされた図４の状態から、引戸１が開放状態となり、伝達機構１４の一端１４１が、バネの付勢や自重などにより、正面視右側の方へ（窓枠２の方へ）倒れた状態を示す。一端１４１が窓枠２の方へ倒れると、当接レバー１４４は支点１４８を中心にして回転し、それと共に、伝達レバー１４５が支点１４８を中心に、当接レバー１４４とは逆方向に回転する。そうすると、伝達機構１４の他端１４２（蓄勢機構１１およびアシスト部材１３の裏側にあるので、図示されない）は、図２に示した位置から右下方向に円弧を描きながら移動する。かかる場合における、他端１４２に取り付けられた回動部材１４３の動作については、後述する。なお、伝達機構１４の一端１４１には、窓枠２と円滑に当接移動できるように、ローラを備えることが好ましい。
【００２６】
図６は、引戸１が開放状態となった図５の状態から、引戸１が閉鎖されるために正面視右方向へ移動する場合において、伝達機構１４の一端１４１が窓枠２に当接した直後の状態を示す。図５に示す開放状態の引戸１が閉じられるために右方向に移動すると、いずれ伝達機構１４の一端１４１は窓枠２に当接する。一端１４１が窓枠２に当接した後、さらに引戸１が右側に移動すると、一端１４１は、窓枠２に押されて、支点１４８を中心にして左上方向に円弧を描きながら移動する。この際、窓枠２に当接する当接レバー１４４の下端が長孔１４６とピン１４７を経由して伝達レバー１４５と連結されているので、伝達レバー１４５の上端を右側へ押す。そうすると、伝達機構１４の他端１４２（蓄勢機構１１およびアシスト部材１３の裏側にあるので、図示されない）は、図５に示した位置から左上方向に円弧を描きながら移動する。かかる場合における、他端１４２に取り付けられた回動部材１４３の動作については、後述する。
【００２７】
伝達機構１４の他端１４２は、蓄勢機構１１に力を蓄えるときには蓄勢機構１１またはアシスト部材１３に係合している。そうすると、他端１４２は、左上方向への移動に伴い、蓄勢機構１１またはアシスト部材１３を正面視左方向へ押し、蓄勢機構１１を圧縮し、蓄勢機構１１に力が蓄えられてゆく。このようにして、伝達機構１４は、引戸１の閉鎖移動に伴い、引戸以外の部材（窓枠２）に当接した反力を、蓄勢機構１１に伝達する。
【００２８】
図７は、伝達機構１４の一端１４１が窓枠２に当接した状態の図６から、一端１４１がケース１５の中に納められる直前の状態、換言すれば、引戸１が窓枠２に当たり閉められる直前の状態を示す。図６の状態から継続して、一端１４１は、窓枠２に押されて、支点１４８を中心にしてほぼ左方向に移動する。これに伴い、伝達機構１４の他端１４２（蓄勢機構１１およびアシスト部材１３の裏側にあるので、図示されない）は、図６に示した位置からさらに左上方向に円弧を描きながら移動する。
【００２９】
伝達機構１４の他端１４２が左上方向の移動に伴い、伝達機構１４の他端１４２は蓄勢機構１１またはアシスト部材１３に係合しているので、蓄勢機構１１を圧縮しつつ、アシスト部材１３をさらに左方向へ移動させる。
【００３０】
解放機構１２の係合レバー１２２は、上記の蓄勢機構１１やアシスト部材の移動に伴い、支点１２４を中心にして反時計回りに回動する。これとともに、溝部１２２ａの位置も回転し、解放レバー１２１の爪部１２１ａに近づき、やがては溝部１２２ａと爪部１２１ａは係合する位置になる。即ち、伝達機構１４の他端１４２が左上方向に円弧を描きながら移動し、蓄勢機構１１またはアシスト部材１３を左方向へ押している最中に、解放機構１２の溝部１２２ａと爪部１２１ａとが係合する。これにより、この後伝達機構１４の他端１４２が蓄勢機構１１またはアシスト部材１３から係合が外れても、蓄勢機構１１は力を蓄えた状態（図１に示す状態）を維持できる。
【００３１】
解放機構１２の溝部１２２ａと爪部１２１ａとが係合した後、完全に引戸１が閉められ図１の状態に戻るまでの間に、伝達機構１４の他端１４２はさらに左上方向に移動し、他端１４２は、蓄勢機構１１またはアシスト部材１３から係合が外れる。他端１４２と蓄勢機構１１またはアシスト部材１３との係合が外れても、解放機構１２の溝部１２２と爪部１２１ａが係合する位置にあるので、蓄勢機構１１は力を解放することはない。また、伝達機構１４の他端１４２が左上方向に動き、蓄勢機構１１やアシスト部材１３の軸線から外れることで係合しなくなることにより、次に蓄勢機構１１を解放する場合に、アシスト部材１３の動きと伝達機構１４の動きを独立させたものにすることができる。
【００３２】
伝達機構１４の一端１４１が引戸１の閉鎖移動に伴い引戸１以外の部材（窓枠２）に当接し、伝達機構１４の他端１４２が蓄勢機構１１またはアシスト部材１３に係合することにより、蓄勢機構１１に力を蓄えさせ、解放機構１２が蓄勢機構１１に蓄えた力を維持する状態になった後に、伝達機構１４の他端１４２と蓄勢機構１１またはアシスト部材１３との係合が切り離される。これにより、引戸１を閉めるときに力を蓄勢機構１１に蓄え、蓄勢機構１１に蓄えた力を解放する時にはその力を利用して、引戸１を初動時に強い力で開放することができる。
【００３３】
図８は、伝達機構１４の他端１４２に取り付けられた回動部材１４３の動作について説明するものである。なお、簡潔に表現するため、解放機構１２の記載は省略している。（Ａ）は、図４に相当する状態、即ち、解放レバー１２１の爪部１２１ａと溝部１２２ａとの係合が外れて、アシスト部材１３により引戸１が開放移動の初動がアシストされた時の状態を示す。上述したように、この状態では、他端１４２が左上方向に動くことにより、蓄勢機構１１やアシスト部材１３の軸線から外れることで係合しなくなっている。従って、解放機構１２により蓄勢機構１１を解放しても、アシスト部材１３の動きと伝達機構１４の動きは連動していない。
【００３４】
（Ｂ）は、図４に相当する状態から図５に相当する状態へ遷移する時、即ち、引戸１が開放状態となり、伝達機構１４の一端１４１が、バネの付勢や自重などにより、正面視右側の方へ（窓枠２の方へ）倒れようとしている時を示す。この時、伝達レバー１４５の他端１４２に取り付けられた回動部材１４３は、正面視で右下方向へ弧を描いて移動する過程において、アシスト部材１３の係合片１３１の後方（蓄勢機構１１側）から前方（アシスト部材１３側）へ、軸を中心にして時計回りに回動することにより、回動部材１４３の一部分が係合片１３１を乗り越えるようにして廻り込む。その結果、（Ｃ）に示す状態となる。
【００３５】
（Ｃ）は、図５に相当する状態、即ち、引戸１が開放状態となり、伝達機構１４の一端１４１が、バネの付勢や自重などにより、正面視右側の方へ（窓枠２の方へ）倒れた状態を示す。係合片１３１を乗り越えた回動部材１４３は、小バネの付勢力により、軸を中心にして反時計回りに回動して元の位置に戻る。そして、回動部材１４３は、その元の位置からさらに反時計回りに回動することは規制されているので、引戸１の閉鎖移動に伴って係合片１３１を前方（アシスト部材１３側）から後方（蓄勢機構１１側）へ押す準備が整う。かくして、伝達機構１４とアシスト部材１３とは、係脱自在である。なお、本実施例では、回動部材１４３が元の位置からさらに反時計回りに回動することは、伝達機構１４の他端１４２における正面視右側の端部に回動部材１４３側に突起を設けることにより規制されている。
【００３６】
上述したように、伝達機構１４は、軸を中心に回動する回動部材１４３を他端１４２に備え、アシスト部材１３は、回動部材１４３と係合する係合片１３１を備え、回動部材１４３が係合片１３１に係合した状態で、引戸１の閉鎖移動に伴う伝達機構１４の動作により、蓄勢機構１１に力を蓄え、解放機構１２が蓄勢機構１１に蓄積した力を解放した後、係合片１３１に接触しながら第一の方向へ（例えば、時計回りに）回動することにより係合片１３１を乗り越え、第二の方向へ（例えば、反時計回りに）回動するとともに係合片１３１と係合する位置に戻る。これにより、引戸１の閉鎖移動に伴い蓄勢機構１１に力を蓄え、蓄勢機構１１の解放時には、引戸障子を初動時に強い力で開放することができる。
【００３７】
＜第一実施例の変形例＞
図９は、本実施例における変形例であり、伝達機構１４と蓄勢機構１１とが係脱自在である例を説明するものである。
（Ａ）は、図４に相当する状態、即ち、解放レバー１２１の爪部１２１ａと溝部１２２ａとの係合が外れて、アシスト部材１３により引戸１が開放移動の初動がアシストされた時の状態を示す。上述したように、この状態では、他端１４２が左上方向に動くことにより、蓄勢機構１１やアシスト部材１３の軸線から外れることで係合しなくなっている。従って、解放機構１２により蓄勢機構１１を解放しても、蓄勢機構１１の動きと伝達機構１４の動きは連動していない。
【００３８】
（Ｂ）は、図４に相当する状態から図５に相当する状態へ遷移する時、即ち、引戸１が開放状態となり、伝達機構１４の一端１４１が、バネの付勢や自重などにより、正面視右側の方へ（窓枠２の方へ）倒れようとしている時を示す。この時、伝達レバー１４５の他端１４２に取り付けられた回動部材１４３は、正面視で右下方向へ弧を描いて移動する過程において、蓄勢機構１１の係合片１１１の後方（蓄勢機構１１側）から前方（アシスト部材１３側）へ、軸を中心にして時計回りに回動することにより、回動部材１４３の一部分が蓄勢機構係合片１１１を乗り越えるようにして廻り込む。その結果、（Ｃ）に示す状態となる。
【００３９】
（Ｃ）は、図５に相当する状態、即ち、引戸１が開放状態となり、伝達機構１４の一端１４１が、バネの付勢や自重などにより、正面視右側の方へ（窓枠２の方へ）倒れた状態を示す。蓄勢機構係合片１１１を乗り越えた回動部材１４３は、小バネの付勢力により、軸を中心にして反時計回りに回動して元の位置に戻る。そして、回動部材１４３は、その元の位置からさらに反時計回りに回動することは規制されているので、引戸１の閉鎖移動に伴って係合片１３１を前方（アシスト部材１３側）から後方（蓄勢機構１１側）へ押す準備が整う。かくして、伝達機構１４と蓄勢機構１１とは、係脱自在である。
【００４０】
上述したように、伝達機構１４は、軸を中心に回動する回動部材１４３を他端１４２に備え、蓄勢機構１１は、回動部材１４３と係合する蓄勢機構係合片１１１を備え、回動部材１４３が蓄勢機構係合片１１１に係合した状態で、引戸１の閉鎖移動に伴う伝達機構１４の動作により、蓄勢機構１１に力を蓄え、解放機構１２が蓄勢機構１１に蓄積した力を解放した後、蓄勢機構係合片１１１に接触しながら第一の方向へ（例えば、時計回りに）回動することにより蓄勢機構係合片１１１を乗り越え、第二の方向へ（例えば、反時計回りに）回動するとともに蓄勢機構係合片１１１と係合する位置に戻る。これにより、引戸１の閉鎖移動に伴い蓄勢機構１１に力を蓄え、蓄勢機構１１の解放時には、引戸障子を初動時に強い力で開放することができる。
【００４１】
上述したように、引戸開放アシスト装置１０は、引戸１に取り付けられ、引戸１の開放移動の初動をアシストするものであって、力を蓄える蓄勢機構１１と、引戸の閉鎖移動に伴い、引戸以外の部材に当接した反力を、蓄勢機構１１に伝達する伝達機構１４と、蓄勢機構１１が蓄えた力を維持および解放する解放機構１２と、解放機構１２が蓄勢機構１１に蓄えられた力を解放した時、蓄勢機構１１に蓄えられた力により、引戸以外の部材に当接して引戸の開放の初動をアシストするアシスト部材１３と、を備え、伝達機構１４と、蓄勢機構１１またはアシスト部材１３とは、係脱自在であり、伝達機構１４は、蓄勢機構１１に力を蓄えるときには蓄勢機構１１またはアシスト部材１３に係合し、蓄勢機構１１に蓄えられた力を解放する時には係合が外れていることを特徴とする。これによれば、引き違いサッシ等の引戸障子を初動時に強い力で開放することができる引戸開放アシスト装置を提供することができる。
【００４２】
なお、本発明は、例示した実施例に限定するものではなく、特許請求の範囲の各項に記載された内容から逸脱しない範囲の構成による実施が可能である。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００４３】
１        引戸
２        引戸以外の部材（窓枠）
１０      引戸開放アシスト装置
１１      蓄勢機構
１１１    蓄勢機構係合片
１２      解放機構
１２１    解放レバー
１２１ａ  爪部
１２２    係合レバー
１２２ａ  溝部
１２３    ひも
１２４    支点
１２５    ピン
１２６    長孔
１３      アシスト部材
１３１    係合片
１４      伝達機構
１４１    伝達機構の一端
１４２    伝達機構の他端
１４３    回動部材
１４４    当接レバー
１４５    伝達レバー
１４６    長孔
１４７    ピン
１４８    支点
１５      ケース
【図１】
2014029096.tif 000003
【図２】
2014029096.tif 000004
【図３】
2014029096.tif 000005
【図４】
2014029096.tif 000006
【図５】
2014029096.tif 000007
【図６】
2014029096.tif 000008
【図７】
2014029096.tif 000009
【図８】
2014029096.tif 000010
【図９】
2014029096.tif 000011